(57)【特許請求の範囲】
【請求項１】
相対向する挟持面を有する挟持部を備え、
前記挟持部は、回転軸を中心として開閉自在に取り付けられることにより、前記挟持面によって物を挟むことができるようにされている挟持用工具であって、
前記挟持面の少なくとも何れか一方には、前記挟持部を開いた場合に相対向する前記挟持面が平行となるような角度が付けられており、
前記挟持部の開閉面と直交する方向における一方の前記挟持部の側面には、他方の前記挟持部の方に向かって突出する突出部が設けられており、
前記突出部は、前記他方の前記挟持部の前記挟持面とは接触せず、かつ、前記挟持面が相互に閉じたときに、前記突出部の側面は前記他方の前記挟持部の側面と相互に接し合うことを特徴とする挟持用工具。
【請求項２】
前記挟持面の何れか一方には、他方の挟持面に向かって凸部が形成されていることを特徴とする請求項１に記載の挟持用工具。
【請求項３】
前記凸部は、複数設けられており、これらの凸部はそれぞれ異なる大きさで形成されていることを特徴とする請求項２に記載の挟持用工具。
【請求項４】
前記挟持面の少なくとも何れか一方には、凹部が設けられていることを特徴とする請求項１乃至３の何れか一項に記載の挟持用工具。
【請求項５】
前記凹部は複数設けられており、これらの凹部はそれぞれ異なる大きさで形成されていることを特徴とする請求項４に記載の挟持用工具。
【請求項６】
前記凹部は、半円形の形状を有していることを特徴とする請求項４又は５に記載の挟持用工具。
【請求項７】
前記突出部は、複数設けられており、
複数設けられた前記突出部は、それぞれ異なる大きさで形成されていることを特徴とする請求項１乃至６の何れか一項に記載の挟持用工具。
【請求項８】
前記突出部は、先端に向かって凸となるような三角形であることを特徴とする請求項１乃至７の何れか一項に記載の挟持用工具。
【発明の詳細な説明】
【０００１】
【発明の属する技術分野】
本発明は、挟持用工具に関する。
【０００２】
【従来の技術】
魚釣り用の針や重り等を挟み込むために、相対向する挟持面を有する挟持部を備える挟持用工具が使用されているが、この挟持用工具は、挟持部同士を回転軸を中心として開閉自在に取り付けることにより、挟持部に形成された挟持面によって物を挟むことができるようにされており、従来の挟持用工具は、この挟持面を閉じて、相対向している挟持面同士を接触させた場合に相対向する挟持面がほぼ並行となるように構成していた。
【０００３】
【発明が解決しようとする課題】
しかしながら、相対向する挟持面を閉じて、挟持面同士が接触する場合に挟持面同士がほぼ並行となるように形成したのでは、物を挟み込む場合に、相対向している挟持面がこの挟持面の先端部に向かってハの字状に傾斜してしまうため、挟み込む物が、挟持面の先端部の方向に滑ってしまって、巧く物を挟むことができない。
【０００４】
特に、丸い物を挟み込むような場合には、従来の挟持用工具では、巧く物を挟み込むことができなかった。
【０００５】
また、従来の挟持用工具では、物を挟み込むことはできるが、釣り用の重り等に糸を挟み込むための溝を設けることはできなかった。
【０００６】
そこで、本発明は、物、特に丸い物を巧く挟み込むことができ、また、物に穴等を開けることができる挟持用工具を提供することを目的とする。
【０００７】
【課題を解決するための手段】
以上の課題を解決するため、本発明は、相対向する挟持面を有する挟持部を備え、前記挟持部は、回転軸を中心として開閉自在に取り付けられることにより、前記挟持面によって物を挟むことができるようにされている挟持用工具であって、前記挟持面の少なくとも何れか一方には、前記挟持部を開いた場合に相対向する前記挟持面が平行となるような角度が付けられており、前記挟持部の開閉面と直交する方向における一方の前記挟持部の側面には、他方の前記挟持部の方に向かって突出する突出部が設けられており、前記突出部は、前記他方の前記挟持部の前記挟持面とは接触せず、かつ、前記挟持面が相互に閉じたときに、前記突出部の側面は前記他方の前記挟持部の側面と相互に接し合うことを特徴とする挟持用工具を提供する。
【０００８】
挟持用工具は、回転軸を中心として相対向する挟持面を有する挟持部を相互に取り付けることにより、この挟持部を開閉することができるようにし、この挟持部の開閉動作により、挟持部に形成されている挟持面で物を挟み込むことができるようにされている。
【０００９】
そして、本発明では、この挟持部を開いた場合に相対向する挟持面がほぼ並行となるような角度が付けられている。
【００１０】
この角度については、挟持用工具の挟持面により挟み込む物の大きさ等を考慮して、適時選択することができる。
【００１１】
また、この角度は、相対向している挟持面の両方に付けてもよく、また、何れか一方に付けてもよい。
【００１２】
このような角度を付けることにより、例えば、釣り用の丸い重りを挟み込む場合であっても、挟持面がほぼ並行になるため、挟持面の先端部の方向に滑ってしまうことがなくなる。
【００１３】
また、挟持面の何れか一方に他方の挟持面に向かう凸部を形成することにより、細かい物を挟み込むことができるようになる。
【００１４】
さらに、このような凸部を形成することにより、挟持用工具に挟み込んだ物が、挟持用工具の回転軸の方向に入り込んでしまうことを防止することができる。
【００１５】
なお、このような凸部を複数設け、これらの凸部をそれぞれ異なる大きさで形成することにより、挟み込む物の大きさに応じて、使用する凸部を選択することが可能となる。
【００１６】
また、挟持面の少なくとも何れか一方に、凹部を設けておくことにより、挟持面に挟み込まれる物がこの凹部に引っかかり、挟み込む物を固定することができるようになる。
【００１７】
さらに、このような凹部を複数設け、これらの凹部をそれぞれ異なる大きさで形成することにより、挟み込む物の大きさに合わせて、使用する凹部を選択することができる。
【００１８】
なお、このような凹部を半円形の形状とすることにより、例えば、丸い物を挟み込む場合に、この丸い物に対して接触面積が広くなるため、この丸い物を容易に挟み込むことが可能となる。
【００１９】
挟持部の開閉面と直交する方向における一方の前記挟持部の側面には、他方の前記挟持部の方に向かって突出する突出部が設けられており、前記突出部は、前記他方の前記挟持部の前記挟持面とは接触せず、かつ、前記挟持面が相互に閉じたときに、前記突出部の側面は前記他方の前記挟持部の側面と相互に接し合う。
【００２０】
このような突出部を設けておくことにより、例えば、鉛でできた重りにこの突出部を押し付けることにより、釣り糸を挟み込むための溝を設けることが可能となる。
【００２１】
なお、突出部は挟持部の側面に設けるが、挟持面の間に物を挟み込む関係上、この突出部は、挟持部を閉じた場合に対向している挟持面とは接触しないように設けておく必要がある。
【００２２】
また、このような突出部を複数設け、これらの突出部をそれぞれ異なる大きさで形成することとにより、例えば、異なる大きさの鉛に釣り糸を挟み込むための溝を設けることができる。
【００２３】
なお、挟持面の傾斜と突出部を双方備えておくことにより、例えば、丸形の割り重りを容易に挟み込むことが可能となり、また、一度割り口を閉じた割り重りの口を再び開く際に、この割り口に突出部を押し込むことにより、容易に割り重りの口を開くことができるようになる。
【００２４】
【発明の実施の形態】
図１（Ａ）は、本発明の第一の実施形態に係るプライヤー１０の挟持部１ａ、１ａ’を閉じた場合の正面図であり、図１（Ｂ）は、本発明の第一の実施形態に係るプライヤー１０の底面図であり、また、図２は、本発明の第一の実施形態に係るプライヤ−１０の挟持部１ａ、１ａ’を開いた場合の正面図である。
【００２５】
プライヤー１０は、相対向する挟持面２ａ、２ａ’を有する挟持部１ａ、１ａ’が回転軸３を用いて相互に取り付けられており、ハンドル部４、４’を開閉することにより、挟持部１ａ、１ａ’も開閉させることができるようにされている。
【００２６】
そして、挟持部１ａ、１ａ’を開閉させることにより、相対向している挟持面２ａ、２ａ’で、物を挟むことができるようにされている。
【００２７】
図１（Ｂ）に示すように、ハンドル部４、４’は、いずれも上方向に同じ角度で傾いているため、ハンドル部４、４’の下方から指５を入れやすいようになっている。
【００２８】
図２に示すように、本実施形態に係るプライヤー１０の挟持面２ａ、２ａ’の一方（２ａ’の方）には、挟持部１ａ、１ａ’を開いた場合に、これらの挟持面２ａ、２ａ’が平行となるような角度が付けられている。
【００２９】
なお、本実施形態では、挟持面２ａ、２ａ’の一方（２ａ’の方）に角度を付けたが、挟持面２ａ、２ａ’の両方に角度を付けることも可能であり、また、挟持面２ａ、２ａ’にどの程度の角度を付けるかは、挟持面２ａ、２ａ’により挟み込む物の大きさ等により適時選択することが可能である。
【００３０】
このような角度を挟持面２ａ、２ａ’の一方（２ａ’の方）に付けたため、例えば、丸い物を挟み込む場合でも、確実に挟み込むことができるようになる。
【００３１】
また、図３に示すプライヤー２０のように、一方の挟持面（２ｂ’の方）から、他方の挟持面（２ｂの方）に向かって、凸部６を設けることもできる。
【００３２】
このような凸部６を設けておくことにより、細かい物を挟み込む場合でもこの凸部６を用いて、プライヤー２０に挟み込むことが可能となり、また、凸部６の側壁７により、物がプライヤー２０の回転軸３の方に入り込んでしまうのを防止することができる。
【００３３】
なお、プライヤー２０では、凸部６を一つだけ設けたが、この凸部６を複数設けることもできる。
【００３４】
また、凸部６の大きさ及び凸部６を挟持面２ｂ、２ｂ’のどの位置に設けるかは、プライヤー２０により挟み込む物の大きさ等に会わせて適時選択することができる。
【００３５】
また、挟持面２ｂ、２ｂ’には、第一の凹部８と第二の凹部９が設けられている。
【００３６】
第一の凹部８と第二の凹部９とは、丸い物を挟み込む際に、接触面積が広くなるようにいずれも半円形の形状を有しており、また、様々な大きさの物を挟み込む際に便利なように、異なる大きさを有している。
【００３７】
なお、挟持面２ｂ、２ｂ’に凹部をいくつ設けるか、また、凹部の大きさ及び位置は、挟持面２ｂ、２ｂ’に挟み込む物の大きさ、形状等を考慮して、適時選択することができる。
【００３８】
図４は、本発明の第二の実施形態に係るプライヤー３０の挟持部１ｃ、１ｃ’を開いた場合の正面図であり、図５は、本発明の第二の実施形態に係るプライヤー３０の挟持部１ｃ、１ｃ’を閉じた場合の図４のＸ−Ｘ’線における断面図である。
【００３９】
本実施形態に係るプライヤー３０も、相対向する挟持面２ｃ、２ｃ’を有する挟持部１ｃ、１ｃ’が回転軸３を用いて連結され、ハンドル部４、４’を開閉することにより、挟持部１ｃ、１ｃ’も開閉させることができるようにされている。
【００４０】
本実施形態においては、図５に示すように、挟持面２ｃ、２ｃ’は、全面的に相対向するわけではなく、双方の端部において、部分的にのみ対向している。
【００４１】
そして、挟持部１ｃ、１ｃ’を開閉させることにより、相対向している挟持面２ｃ、２ｃ’で、物を挟むことができるようにされている。
【００４２】
ここで、本実施形態では、一方の挟持部（１ｃ’の方）の側面から、他方の挟持面（１ｃの方）に向かって、第一の突出部１１と第二の突出部１２が設けられている。
【００４３】
本実施形態では、第一の突出部１１と第二の突出部１２を一方の挟持部（１ｃ’の方）の側面に設けられているが、この第一の突出部１１及び第二の突出部１２をいずれの挟持部１ｃ、１ｃ’に設けるかは、適時選択することができる物であり、両方の挟持部１ｃ、１ｃ’に設けることも可能である。
【００４４】
また、プライヤー３０が挟持部１ｃ、１ｃ’の開閉動作により挟持面２ｃ、２ｃ’で物を挟み込む関係上、この第一の突出部１１と第二の突出部１２が挟持面２ｃ、２ｃ’と接触しないように設ける必要がある。
【００４５】
このため、第一の突出部１１及び第二の突出部１２は、挟持部１ｃ、１ｃ’を閉じたときに、その側面が挟持部１ｃの側面１ｄに当接するように配置されている。
【００４６】
このような第一の突出部１１と第二の突出部１２を設けたので、例えば、図６に示すように、第一の突出部１１を一度閉じた割り重り１３の割り口に当てて、挟持部１ｃ、１ｃ’を回転軸３を中心として閉じることにより、一度閉じた割り重り１３の割り口を容易に開くことができるようになる。
【００４７】
なお、この突出部の数、大きさ及び位置は、この第一の突出部１１及び第二の突出部１２を用いて開こうとする割り重り１３の割り口の大きさ等を考慮して、適時選択することができる。
【００４８】
また、上述の実施形態においては、本発明に係る挟持用工具の一例としてプライヤーを挙げたが、本発明の適用例はプライヤーに限定されるものではない。
【００４９】
例えば、ペンチ、ハサミ、ニッパ、その他、物を挟み、或いは、切断するような工具であれば、本発明の適用の対象とすることができる。
【００５０】
【発明の効果】
以上のように、本発明では、相対向する挟持面を有する挟持部を開いた場合に挟持面が平行となるようにされているため、挟持面で物を確実に挟み込むことができ、特に、丸い物を挟み込む場合に便利である。
【００５１】
また、挟持面に設けられた突出部により、細かい物を挟み込むことができるほか、挟み込んだ物が中心軸の方向に入り込んでしまうことを防止することができる。
【００５２】
さらに、挟持部に設けられた突出部を使用して、一度閉じた割り重りの割り口を開くことができるようになる。
【図面の簡単な説明】
【図１】（Ａ）第一の実施形態に係るプライヤー１０の正面図、（Ｂ）第一の実施形態に係るプライヤー１０の底面図。
【図２】第一の実施形態に係るプライヤー１０の正面図
【図３】第一の実施形態の変形例に係るプライヤー２０の正面図
【図４】第二の実施形態に係るプライヤー３０の正面図
【図５】第二の実施形態に係るプライヤー３０の断面図
【図６】第二の実施形態に係るプライヤー３０の正面図
【符号の説明】
１ａ〜１ｃ  挟持部
２ａ〜２ｃ  挟持面
３  中心軸
４  ハンドル部
６  凸部
７  側壁
８  第一の凹部
９  第二の凹部
１０  第一の実施形態に係るプライヤー
１１  第一の突出部
１２  第二の突出部
２０  第一の実施形態の変形例に係るプライヤー
３０  第二の実施形態に係るプライヤー
【図１】
0004268777.tif 000002
【図２】
0004268777.tif 000003
【図３】
0004268777.tif 000004
【図４】
0004268777.tif 000005
【図５】
0004268777.tif 000006
【図６】
0004268777.tif 000007